(57)【特許請求の範囲】
【請求項１】
認識可能なドットパターンが印刷された電子ペン用帳票に対して、電子ペンにより記入された情報を処理するサーバ装置であって、
前記電子ペンにより前記電子ペン用帳票に記入された記入内容を示す記入内容データと付加データとを含む記入データを前記電子ペンから受信する受信手段と、
受信した前記記入データを、各件ごとに付加データに基づいて出力領域の大きさを自動調整しつつ、最大表示件数単位で出力する自動調整手段と、
出力領域が調整された前記記入内容データを出力装置に出力する出力手段と、
を備えることを特徴とするサーバ装置。
【請求項２】
前記付加データは、前記電子ペンによる記入の筆圧を示す筆圧データを含み、
前記自動調整手段は、前記筆圧データに基づいて各記入内容データの出力領域の大きさを調整することを特徴とする請求項１に記載のサーバ装置。
【請求項３】
前記付加データは、前記電子ペンによる記入の色を示す色データを含み、
前記自動調整手段は、前記色データに基づいて各記入内容データの出力領域の大きさを調整することを特徴とする請求項１に記載のサーバ装置。
【請求項４】
前記付加データは、前記記入内容データに含まれるストローク数を示すストロークを含み、
前記自動調整手段は、前記ストローク数に基づいて各記入内容データの出力領域の大きさを調整することを特徴とする請求項１に記載のサーバ装置。
【請求項５】
前記付加データは、前記電子ペンによる記入が行われた前記電子ペン用帳票上のエリアを示すエリアデータを含み、
前記自動調整手段は、前記エリアデータに基づいて各記入内容データの出力領域の大きさを調整することを特徴とする請求項１に記載のサーバ装置。
【請求項６】
前記付加データは、前記電子ペンによる記入が行われた記入時間を含み、
前記自動調整手段は、前記記入時間に基づいて各記入内容データの出力領域の大きさを調整することを特徴とする請求項１に記載のサーバ装置。
【請求項７】
請求項１〜６のうちいずれか一項に記載のサーバ装置としてコンピュータを機能させることを特徴とするプログラム。
【発明の詳細な説明】
【技術分野】
【０００１】
本発明は、電子ペンにより電子ペン用帳票に記入された記入データを処理する技術に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている（特許文献１参照）。アノトペンは、所定のドットパターンが印刷された専用紙（以下、「専用ペーパー」とも呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像にチェックマークを記入したりすると、ペンの移動に伴って小型カメラが専用紙に印刷されたドットパターンを検出し、利用者が書き込んだ文字、画像などの記入データが取得される。この記入データが、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、各種ビジネス上の書類、申込書、契約書等に記入されたデータをデジタル化する手法として、電子ペンを利用したシステムが普及しつつある（例えば、特許文献２参照）。
【０００３】
また、複数の情報端末からの表示情報を表示属性情報などに基づいて、大型表示装置等の表示画面上に調整して表示する方法が、特許文献３、特許文献４に記載されている。
【０００４】
【特許文献１】特表２００３−５１１７６１号公報
【特許文献２】特開２００４−１５３６１２号公報
【特許文献３】特開２００６−２１５５３１号公報
【特許文献４】特開平０７−１２９１３７号公報
【発明の開示】
【発明が解決しようとする課題】
【０００５】
電子ペンで取得したデータの閲覧には、１件分のデータを画面表示して閲覧者に確認させ、「承認ボタン」が押されると次のデータを表示する、という仕組が多く、全件分のデータを確認するのには長い時間がかかる。そのため、「承認」等が必要ない場合は、１件分のデータの出力時間を数秒と定めて次々に画面を切りかえる方法もとられているが、それでも全件分のデータをある程度きちんと確認できる時間に設定する必要があり、結果的にかなりの時間を要する。
【０００６】
本発明は、以上の点に鑑みてなされたものであり、サーバ上のデータ出力領域の自動割当により、電子ペンで取得したデータの閲覧時間の短縮など、閲覧のしやすさを向上させる手法を提供することを課題とする。
【課題を解決するための手段】
【０００７】
本発明の１つの観点では、認識可能なドットパターンが印刷された電子ペン用帳票に対して、電子ペンにより記入された情報を処理するサーバ装置は、前記電子ペンにより前記電子ペン用帳票に記入された記入内容を示す記入内容データと付加データとを含む記入データを前記電子ペンから受信する受信手段と、受信した前記記入データを、各件ごとに付加データに基づいて出力領域の大きさを自動調整しつつ、最大表示件数単位で出力する自動調整手段と、出力領域が調整された前記記入内容データを出力装置に出力する出力手段と、を備える。
【０００８】
上記のサーバ装置は、認識可能なドットパターンが印刷された電子ペン用帳票に対して、電子ペンにより記入された情報を処理する。電子ペン用帳票には、電子ペンにより認識可能なドットパターンが印刷されており、ユーザが電子ペン用帳票に記入した記入内容は、ドットパターンを利用して取得される。電子ペンは、記入内容を示す記入内容データと付加データとを含む記入データをサーバ装置へ送信する。サーバ装置は、記入データを受信し、各件ごとに付加データに基づいて出力領域の大きさを自動調整しつつ、最大表示件数単位で出力する。そして、サーバ装置は、出力領域が調整された前記記入内容データを出力装置に出力する。
【発明の効果】
【００１１】
本発明によれば、電子ペンにより記入された情報の件数に合わせて出力領域を調整することにより、閲覧に適した出力が可能となり、閲覧時間の短縮など、閲覧のしやすさの向上を図ることができる。
【発明を実施するための最良の形態】
【００１２】
以下、図面を参照して本発明の好適な実施の形態について説明する。まず、本実施形態のシステムにおいて入力デバイスとして使用される電子ペンの概要について説明する。
【００１３】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００１４】
図２に示すように、電子ペン１０は、その内部にプロセッサ１１、メモリ１２、データ通信ユニット１３、バッテリー１４、ＬＥＤ１５、カメラ１６、圧力センサ１８を備える。また、電子ペン１０は通常のインクペンと同様の構成要素としてインクカートリッジ（図示せず）などを有する。
【００１５】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークデータを画像データ又はベクトルデータとして取得することができる。
【００１６】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記入を開始したと判定して、ＬＥＤ１５及びカメラ１６を作動する。
【００１７】
カメラ１６は専用ペーパー２０上のドットパターンを読み取り、そのパターンデータをプロセッサ１１に供給する。プロセッサ１１は、供給されたドットパターンから、専用ペーパー２０上でのＸ，Ｙ座標を算出する。
【００１８】
プロセッサ１１は、利用者の記入が行われる間に、筆圧の配列データ及びＸ，Ｙ座標データを取得し、タイムスタンプ（時間情報）と関連付けてメモリ１２に記憶していく。よって、メモリ１２内には利用者の記入内容に対応する記入内容データが時系列で記憶されていく。メモリ１２の容量は例えば１Ｍバイト程度とすることができる。
【００１９】
プロセッサ１１は、予め電子ペン１０が保有している専用アプリケーションにより、メモリ１２内のデータに基づいて所定の処理を実行する。専用アプリケーションとは、電子ペン１０が専用ペーパー２０に記入することで取得したデータに基づいて所定の処理を実行するものであって、原則として専用ペーパー２０に対応付けられている。つまり、種類の異なる専用ペーパー２０の場合、各専用ペーパー２０に記入されたデータを処理する専用アプリケーションはそれぞれ異なる。しかし、専用ペーパー２０と専用アプリケーションの対応は必ずしも１対１である必要はなく、複数種類の専用ペーパー２０に１つの専用アプリケーションを対応付けることとしてもよい。
【００２０】
電子ペン１０は、データ通信ユニット１３により、端末装置２５やサーバとデータを送受信することが可能である。具体的には、専用アプリケーションによる処理の実行結果等を、データ通信ユニット１３により、端末装置２５等に送信することができる。端末装置２５は、ハードウェアとして、電子ペン１０とのデータ通信が可能なアンテナ装置、ＣＰＵ等のプロセッサ、ＲＯＭやＲＡＭといったメモリ、スピーカ、ディスプレイ等で構成される、パーソナルコンピュータや携帯電話、或いは携帯端末である。
【００２１】
送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内に記憶された実行結果に関するデータを供給し、端末装置２５への送信を行わせる。なお、電子ペン１０は、データの送信完了を電子ペンの振動により示すことができる。また、電子ペン１０自体を操作することにより、送信を行うこととしてもよい。例えば電子ペン１０を端末装置２５にＵＳＢ接続することにより電子ペン１０内のデータを送信できる場合には、専用ボックスへの記入は不要となる。
【００２２】
バッテリー１４は電子ペン１０内の各要素に電源供給するためのものであり、例えば電子ペンのキャップ（図示せず）により電子ペン１０自体の電源のオン／オフを行うことができる。
【００２３】
このように、電子ペン１０は利用者が専用ペーパー２０上に記入した文字などに対応する座標データ、ストロークデータ及び筆圧データを取得して所定の処理を実行する機能、及び、実行結果に関するデータを近傍の端末装置２５へ送信する機能を有するが、電子ペン１０のペン先部１７は通常のインクペンとなっているため、専用ペーパー２０上に記入した内容はオリジナルの原本として残るという特徴がある。即ち、紙の原本に対して記入するのと同時に、その内容を座標データなどの形態でリアルタイムに電子化することができる。
【００２４】
なお、電子ペン１０の標準機能によれば、電子ペン１０により得られるデータは、原則として座標データ又はベクトルデータの形態であり、テキストデータではない。
【００２５】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００２６】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００２７】
［専用ペーパー］
次に、専用ペーパーについて説明する。前述のように専用ペーパー２０には、所定のドットパターンが印刷されている。電子ペン１０のカメラ１６は、利用者が専用ペーパー２０上に記入したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００２８】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して記入用紙などの帳票を生成する際は、専用インキ以外のインキで入力枠や罫線、注意書きなどを印刷する。
【００２９】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横約２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００３０】
専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３１】
図案３４の例を図６に示す。図６は、ある記入用紙３６の例であり、記入欄３８や送信ボックス３９が印刷されている。図６には明確に図示されていないが、実際にはドットパターンが申込書３６の全面に印刷されており、その上に記入欄３８や送信ボックス３９が通常のインキにより印刷されている。利用者は、ドットパターンを意識することなく、電子ペン１０を使用して記入用紙３６の記入欄３８に記入すればよい。
【００３２】
専用ペーパー２０上のエリアは大きく２種類のエリアに分けることができる。１つは記入エリアであり、電子ペン１０による記入内容をそのまま情報として取り扱うエリアである。図６の例では記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００３３】
送信ボックス３９は前述したように電子ペン１０内に記憶されている実行結果等に関するデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００３４】
このように、ドットパターンを印刷した専用ペーパー上に所定の図案を印刷することにより、専用ペーパーを利用した記入用紙が生成できる。利用者は電子ペン１０を使用して記入欄３８に記入すれば、その電子データが自動的に取得される。
【００３５】
各専用ペーパー２０には、用紙のＩＤとして機能するドットパターンアドレスが印刷されている。電子ペン１０により用紙の一部に記入を行うと、電子ペン１０はドットパターンを読みとることにより、当該用紙に割り当てられているドットパターンアドレスを取得することができる。ドットパターンアドレスは、同一のドットパターンを有する用紙に対して一意に割り当てられているため、ドットパターンアドレスを用紙ＩＤとして使用することができる。
【００３６】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。なお、このような手法は「プリント・オン・デマンド方式」とも呼ばれる。
【００３７】
なお、本明細書においては、「印刷」の語は、通常の印刷のみならず、プリンタによるプリントも含む概念とする。
【００３８】
［データ出力領域の自動割当システム］
次に、本発明の実施形態に係るデータ出力領域の自動割当システムについて説明する。図７は、データ出力領域の自動割当システムの概略ブロック図である。図示のように、データ出力領域の自動割当システムは、電子ペン１０と、専用ペーパー２０（電子ペン用帳票）と、端末装置２５と、ネットワーク８０と、サーバ９０と、出力装置１００とにより構成される。
【００３９】
例えばユーザが電子ペンを使って記入した絵、文字、図案など（以下、「イラスト」と呼ぶ。）を、ディスプレイなどに出力して閲覧する場合、記入用紙は図５及び図６に例示するように専用ペーパー２０により構成されており、ユーザは記入用紙に対して電子ペン１０を使用して記入する。
【００４０】
ユーザによる記入内容は、記入データとして電子ペン１０から端末装置２５へ送信される。電子ペン１０から端末装置２５への送信は、Ｂｌｕｅｔｏｏｔｈ（登録商標）などの無線通信によってもよく、ＵＳＢ接続ケーブルなどによってもよい。端末装置２５はネットワーク８０を介してサーバ９０に接続されており、サーバ９０は端末装置２５よりネットワーク８０を介して記入データを受信する。
【００４１】
サーバ９０はディスプレイもしくはプリンタといった出力装置１００に接続されており、記入データを受信したサーバ９０は、データ出力領域の自動割当処理を行い、出力設定された記入内容データを出力装置１００に出力する。なお、記入データは、ユーザが記入したイラストなどを示す記入内容データに加えて、電子ペン１０のペンＩＤ、専用ペーパーのＩＤ、電子ペン１０により記入が行われた時刻のタイムスタンプなどを含む概念とする。
【００４２】
次に、本実施形態におけるデータ出力領域の自動割当処理について詳しく説明する。
【００４３】
本実施形態の基本的な手法では、サーバ９０は、端末装置２５から受信した記入データの件数に応じて、出力装置１００における各記入内容データの出力領域を自動的に設定する。なお、以下の説明では、出力装置１００がディスプレイである場合の１画面の表示領域、及び、出力装置１００がプリンタである場合の１枚のプリント用紙上の印刷領域を「ページ領域」と呼ぶ。また、１つのページ領域上において、１つの記入内容データを出力（ディスプレイへの表示又はプリント用紙への印刷）する領域を「出力領域」と呼ぶ。
【００４４】
サーバ９０は、出力装置１００の１つのページ領域に表示できる記入内容データ（ユーザが記入したイラストなどに対応する）の最大表示件数Ｎを予め決定し、端末装置２５から受信した記入データの数に応じて、各記入内容データの出力領域を決定する。なお、最大表示件数Ｎは、出力装置１００の種類に応じて予め決定され、１つのページ領域内に表示、印刷される記入内容データの件数を規定する。
【００４５】
具体的には、サーバ９０は、端末装置２５から受信した記入データの数が最大表示件数Ｎ以下である場合には、受信した全ての記入内容データを１つのページ領域内に割り当てる。いま、仮に最大表示件数Ｎが「４」に設定されていると仮定する。受信した記入データが１つである場合、サーバ９０は図１０（ａ）に例示するように、その記入内容データの出力領域を１つのページ領域の中央に割り当てる。受信した記入データが２つである場合、サーバ９０は、１つのページ領域を２分割し、それぞれを記入内容データの出力領域とする。受信した記入データが４つである場合、サーバ９０は図１０（ｂ）に例示するように、１つのページ領域を４分割し、それぞれを記入内容データの出力領域とする。
【００４６】
一方、受信した記入データ数が最大表示件数Ｎを超える場合、サーバ９０は、複数のページ領域に記入内容データを割り当てる。例えば、受信した記入データが６個である場合、サーバ９０は１ページ目のページ領域に４個の記入データを割り当て、２ページ目のページ領域に２個の記入データを割り当てる。こうして、最大表示件数単位で記入内容データを出力（表示又は印刷）することにより、多数の記入内容データを効率的に閲覧することが可能となる。
【００４７】
図８はデータ出力領域の自動割当処理に関連するサーバ９０の機能構成を示す。
【００４８】
サーバ９０は、機能的には、記入データ受信部１５１、出力条件設定部１５２、出力領域決定部１５３及びデータ出力部１５４を備える。なお、これらの構成要素は、実際にはサーバ９０が予め用意されたプログラムを実行することにより実現される。
【００４９】
記入データ受信部１５１は、端末装置２５から、電子ペン１０により得られた記入データを受信する。前述のように、この記入データには、ユーザが記入したイラストなどに対応する記入内容データが含まれている。出力条件設定部１５２では、サーバ管理者などが最大表示件数Ｎを予め設定する。
【００５０】
出力領域決定部１５３は、記入データ受信部１５１が端末装置２５から受信した記入データについて、出力条件設定部１５２で設定した最大表示件数Ｎと受信した記入データの件数に合わせて出力領域を決定し、出力設定を行う。
【００５１】
データ出力部１５４は、出力領域決定部１５３による出力設定に従って、記入内容データを出力装置に出力する。
【００５２】
図９はサーバ９０によるデータ出力領域の自動割当処理のフローチャートを示す。この例では、最大表示件数をＮ件とする。現実には、Ｎはサーバ管理者が出力装置１００の画面の大きさや解像度などに合わせて設定する。なお、最大表示件数Ｎは後に任意で変更することも可能である。
【００５３】
まず、サーバ９０は電子ペン１０により記入された記入データを受信し（ステップＳ１）、受信した記入データのデータ件数が「１」であるか否かを判定する（ステップＳ２）。データ件数が１であったならば、サーバ９０は、その記入内容データの出力領域を最大領域、即ちページ領域の全体に割り当てるように出力設定し（ステップＳ７）、出力設定に従った配置で記入内容データを出力装置１００に出力する（ステップＳ８）。
【００５４】
一方、受信した記入データのデータ件数が１より大きいならば、サーバ９０は、受信した記入データのデータ件数が最大表示件数Ｎより大きいか否かを判定する（ステップＳ３）。受信した記入データのデータ件数が最大表示件数Ｎより大きい場合、サーバ９０は１ページ目の全ページ領域にＮ件分の記入内容データの出力領域を割り当てるように出力設定を行い（ステップＳ５）、残りの記入データの件数を算出し（ステップＳ６）、ステップＳ３へ戻る。こうして、ステップＳ３〜Ｓ６が繰り返されることにより、複数の記入内容データに対して出力領域がページ領域単位で割り当てられていく。
【００５５】
ステップＳ３において、受信した記入データのデータ件数が最大表示件数Ｎより小さい場合、サーバ９０は、ページ領域内にデータ件数分の出力領域を割り当てるように出力設定を行う（ステップＳ４）。そして、サーバ９０は、出力設定に従った配置で記入内容データを出力装置１００に出力する（ステップＳ８）。
【００５６】
なお、出力装置１００がディスプレイである場合には、１画面の表示時間は基本的にサーバ管理者が設定する。記入データの件数が最大表示件数Ｎより大きく、複数のページが表示される場合は、各ページが同じ時間表示される。
【００５７】
［変形例１］
上記の実施形態では、１つのページ領域内に設定される各記入内容データの出力領域は同じ大きさであることを前提としているが、本発明の適用はこれには限定されるものでなく、以下の様々な要因に基づいて、各出力領域の大きさを変更することができる。
【００５８】
第一の要因は筆圧データである。筆圧データは、ペン先部１７にかかった筆圧が圧力センサ１８により検出され、プロセッサ１１へ供給された後、メモリ１２に記憶されている。よって、電子ペン１０は筆圧データを記入データに含めてサーバ９０へ送信する。サーバ９０は、各記入内容データの筆圧に応じて、ページ領域内における各記入内容データの出力領域の大きさを変更する。例えば、筆圧の強さを記入内容に対する思い入れの強さと判断する場合、筆圧の強い記入内容データを大きく表示することにより、思い入れの強い記入内容を強調して表示することができる。
【００５９】
第二の要因は色データである。色データは、電子ペン１０が専用ペーパー２０としての記入用紙上の色データを指定するドットパターンの読みとることにより決定することができる。また、電子ペン１０により記入が行われた専用ペーパー２０としての記入用紙上のエリアを示すエリアデータに基づいて、サーバに予め記憶されているテーブルを参照することによっても色データを決定することができる。好適な例では、特定の色の記入内容を大きく表示することにより、表現を多彩にすることが可能である。
【００６０】
第三の要因はストローク数である。ストローク数は、１つの記入内容データに含まれるストロークの数であり、言い換えれば１つのイラストを構成するストロークの数である。電子ペン１０のプロセッサ１１は、圧力センサ１８から与えられる筆圧データに基づいて行うスイッチオン／オフの切換、すなわち、電子ペン１０による線の書き始めから書き終わりまでを１ストロークとして算出する。例えば、ストローク数の多さを記入内容に対する思い入れの強さと判断した場合、ストローク数の多い記入内容データを大きく表示することにより、思い入れの強い記入内容データを強調して閲覧させることができる。
【００６１】
第四の要因はエリアデータである。エリアデータは、記入用紙上における位置を示すデータである。エリアデータは、電子ペン１０が読みとった専用ペーパー２０としての記入用紙のドットパターンから、専用ペーパー２０上でのＸ，Ｙ座標を算出することにより取得される。例えば、記入欄としたエリアに筆記があったものは大きく表示し、名前欄としたエリアに筆記のあったものは小さく表示するなど、強調したい記入内容を予め設定することができる。
【００６２】
第五の要因は記入時間である。記入時間は、ユーザが１つの記入内容データ（イラストなど）を記入するのに要した時間である。記入時間は、電子ペン１０のプロセッサ１１が、圧力センサ１８から与えられる筆圧データに基づいてスイッチをオンにした時点から、送信ボックス３９内に電子ペン１０でチェックを入れ、記入データが送信されるまでを言い、記入内容データと関連付けてメモリ１２に記憶されているタイムスタンプ（時間情報）より算出する。例えば、記入時間が短いほど大きく表示することにより、早い者勝ちという設定が可能である。
【００６３】
第六の要因はペンＩＤである。ペンＩＤは電子ペン１０のメモリ１２などに予め記憶されている。例えば、学校などで先生と生徒が電子ペンを使用するような場合、先生が使用するペンＩＤの電子ペンでの記述内容データだけを大きく表示して強調することなどが可能である。
【００６４】
第七の要因はＯＣＲ（Ｏｐｔｉｃａｌ  Ｃｈａｒａｃｔｅｒ  Ｒｅｃｏｇｎｉｔｉｏｎ）変換率である。記入するものが文字であることを前提として、サーバ９０でＯＣＲ処理を行うことで記入内容データのＯＣＲ変換率を取得できる。例えば、ＯＣＲ処理したテキストデータの変換率が高いものほど大きく表示し、強調することが可能である。
【００６５】
第八の要因は送信回数である。ユーザは、一度送信ボックス３９に記入し、電子ペン１０から記入データが送信された後に、記入内容を追加し、再度送信ボックス３９に記入し、送信することが可能である。そこで、電子ペン１０は送信ボックス３９に記入した回数を送信回数として算出し、記入データに含めてサーバ９０へ送信する。サーバ９０は、各記入データについて、送信回数に応じて出力領域の大きさを変更する。このとき、記入内容を追加した電子ペンが同一のＩＤでも異なるＩＤでもよいこととする。これにより、例えば、同一ユーザが共同で１つのイラストを作成するような場合、より多く記入内容を追加されたイラストが、より人の興味をひいた画であると判断することができ、人気投票として送信回数が多いものを大きく表示して順位付けすることが可能である。
【００６６】
［変形例２］
上記の実施形態では、主に出力領域の自動調整について説明したが、本発明の適用はこれには限定されるものでなく、表示速度の指定を行うことが可能である。例えば、ユーザが電子ペン１０を用いて専用ペーパー２０としての記入用紙上に自動車のイラストを描いて、ディスプレイ上で自動車が走るように出力する場合、サーバ９０は、記入時間が短いほど、すなわち描く速度が速いほど、表示された自動車が速く走るように表示することが可能である。
【図面の簡単な説明】
【００６７】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】実施形態に係るデータ出力領域の自動割当システムの概略構成を示すブロック図である。
【図８】サーバの機能構成を示すブロック図である。
【図９】出力領域自動割当処理のフローチャートである。
【図１０】ディスプレイへの記入内容データの表示例を示す。
【符号の説明】
【００６８】
１０…電子ペン
１１…プロセッサ
１２…メモリ
１３…データ通信ユニット
１４…バッテリー
１５…ＬＥＤ
１６…カメラ
１８…圧力センサ
９０…サーバ
１００…出力装置
【図１】
0005194659.tif 000002
【図２】
0005194659.tif 000003
【図３】
0005194659.tif 000004
【図４】
0005194659.tif 000005
【図５】
0005194659.tif 000006
【図６】
0005194659.tif 000007
【図７】
0005194659.tif 000008
【図８】
0005194659.tif 000009
【図９】
0005194659.tif 000010
【図１０】
0005194659.tif 000011